(57)【要約】【課題】  汎用性が有りロット効果により低コストで、高速回転のローター部の重心が低くアンバランスに起因する振動や騒音の発生を防止して、高性能、高効率である光走査装置、及び、その光走査装置を具備する画像形成装置を提供する。【解決手段】  複数の光束を副走査方向の所定の光束間隔（Ｂ）で発光する光源手段１と、光源手段１から発光する複数のビーム２と、複数のビーム２の上ビーム２ａと下ビーム２ｂを光偏向する光偏向手段３と、光偏向手段３の光源手段１から発光する複数のビーム２の上ビーム１ａと下ビーム１ｂの光束間隔（Ｂ）と異なるミラー中心間隔（Ａ）で配置された複数段のミラー４の上ミラー４ａと下ミラー４ｂによって光偏向された複数のビーム２を走査結像する走査結像手段５とからなる。【選択図】        図１
2006018011.tif 000002
【特許請求の範囲】
【請求項１】
感光体上を光走査して潜像を形成する光走査装置において、複数のビームを所定の副走査方向の光束間隔で発光する光源手段と、複数のビームを構成する上ビームと下ビームを夫々光偏向する上ミラーと下ミラーを備えた光偏向手段と、光偏向手段により光偏向された複数のビームを走査結像する走査結像手段と、を備え、
上ミラーと下ミラー間のミラー中心間隔を、上ビームと下ビームの光束間隔と異ならせたことを特徴とする光走査装置。
【請求項２】
請求項１に記載の光走査装置において、上ミラーと下ミラー間のミラー中心間隔は、光源手段から発光する上ビームと下ビームの光束間隔よりも長いことを特徴とする光走査装置。
【請求項３】
請求項１に記載の光走査装置において、上ミラーと下ミラー間のミラー中心間隔は、光源手段から発光する上ビームと下ビームの光束間隔よりも短いことを特徴とする光走査装置。
【請求項４】
請求項１、２又は３に記載の光走査装置において、上ミラーと下ミラーは、各ミラーの端部の、光偏向に不必要な部分を欠除した欠除部を備えていることを特徴とする光走査装置。
【請求項５】
請求項４に記載の光走査装置において、欠除部を、上ミラーと下ミラーに上下非対称に形成したことを特徴とする光走査装置。
【請求項６】
感光体上を光走査して画像を形成する画像形成装置において、光走査して画像を形成する感光体と、感光体上を均一に帯電する帯電手段と、帯電手段で均一に帯電された感光体上を光走査して潜像を形成する請求項１、２、３、４又は５に記載の光走査装置と、光走査装置によって感光体上に形成された潜像を現像して顕像化する現像手段と、現像手段で感光体上に顕像化して形成したトナー画像を被記録体に転写する転写手段と、からなることを特徴とする画像形成装置。
【請求項７】
請求項６に記載の画像形成装置において、光走査装置が感光体上を光走査してカラーのトナー画像を形成することを特徴とする画像形成装置。
【請求項８】
請求項６又は７に記載の画像形成装置において、請求項１、２、３、４又は５に記載の複数個の光走査装置からなることを特徴とする画像形成装置。
【発明の詳細な説明】
【技術分野】
【０００１】
本発明は、光走査装置、及び、その光走査装置を具備する画像形成装置に関し、詳しくは、感光体上を光走査して潜像を形成する光走査装置、及び、その感光体上を光走査して潜像を形成する光走査装置を具備する感光体上を光走査して画像を形成する複写機、ファクシミリ装置、プリンタあるいはこれ等の複合機等の画像形成装置に関する。
【背景技術】
【０００２】
従来の光走査装置、及び、その光走査装置を具備する画像形成装置の一例として、デジタル複写機を例にとり、その構成について説明する。
図６乃至図８において、デジタル複写機１５０は、レーザビーム走査装置１００を有するプリンタ部１６０、画像読み取り装置１７０の原稿画像読取部１７１と自動原稿送り部１７２から構成されている。
自動原稿送り部１７２は、セットされた原稿（Ｏ）を１枚ずつ搬送してコンタクトガラス１７１ａ上にセットし、読み取り終了後にはコンタクトガラス１７１ａ上の原稿（Ｏ）を排出する。
画像読み取り装置１７０の原稿画像読取部１７１は、図７にも図示するように、照明ランプ１７１ｂ、及び、反射鏡１７１ｃからなる光源と第１ミラー１７１ｄとを装備した第１キャリッジ１７１ｅと、第２ミラー１７１ｆ、及び、第３ミラー１７１ｇを装備した第２キャリッジ１７１ｈとを有する。
原稿（Ｏ）の読み取り時には、第１キャリッジ１７１ｅが一定の速度で往動して第２キャリッジ１７１ｈが第１キャリッジ１７１ｅの１／２の速度で第１キャリッジ１７１ｅに追従して往動することにより、コンタクトガラス１７１ａ上の原稿（Ｏ）が光学的に走査され、コンタクトガラス１７１ａ上の原稿（Ｏ）が照明ランプ１７１ｂ、及び、反射鏡１７１ｃにより照明されてその反射光像が第１ミラー１７１ｄ、第２ミラー１７１ｆ、第３ミラー１７１ｇ、色フィルタ１７１ｉを介してレンズ１７１ｊによりＣＣＤセンサ１７１ｋ上に結像される。
ＣＣＤセンサ１７１ｋは、結像された原稿（Ｏ）の反射光像を光電変換してアナログ画像信号を出力し原稿（Ｏ）の読み取りが行われる。
そして、画像の読み取り終了後、第１キャリッジ１７１ｅと第２キャリッジ１７１ｈはホームポジション位置に復動する。
尚、ＣＣＤセンサ１７１ｋとして、それぞれＲ（レッド）、Ｇ（グリーン）、Ｂ（ブルー）のフィルタを備えた３ラインのＣＣＤを用いることによりカラー原稿（Ｏ）を読み取ることも可能となる。
【０００３】
ＣＣＤセンサ１７１ｋからのアナログ画像信号は、アナログ／デジタル変換器によりデジタル画像信号に変換され、画像処理部１７１ｌにて種々の画像処理の２値化、多値化、階調処理、変倍処理、編集処理等が施される。
プリンタ部１６０において、感光体１５１は、複写動作時に、駆動部により回転駆動されて帯電装置１５２により均一に帯電されてから、前記画像処理部１７１ｌにて画像処理が施されたデジタル画像信号が、図示していない半導体駆動板に送られ、前記デジタル信号による画像露光がレーザビーム走査装置１００により行われ静電潜像が形成される。
そして、感光体１５１上の静電潜像が現像装置１５３により現像される。
給紙装置１５４のカセット１５４ａ、カセット１５４ｂ、カセット１５４ｃのうち選択されたものから記録用紙（Ｐ）がレジストローラ１５４ｄへ給紙されて、レジストローラ１５４ｄにより感光体１５１上の画像とタイミングを合わせ送出され、転写装置１５５により感光体１５１上に形成された顕像化されたトナー画像が記録用紙（Ｐ）上に転写される。
そして、記録用紙（Ｐ）は、分離装置１５５ａにより感光体１５１から分離され、搬送装置１５５ｂにより搬送され、定着装置１５６により定着された後に、排紙ローラ１５７によって、コピーとして排紙トレイ１５８上に排出されて収納される。
又、感光体１５１は、記録用紙（Ｐ）を分離後にクリーニング装置１５９によりクリーニングされて残留トナーが除去されて、次工程に備えるようになっている。
【０００４】
レーザビーム走査装置１００は、図８にも図示するように光源１０１の半導体レーザユニット内の半導体レーザより発せられたレーザビームが半導体レーザユニット内のコリメートレンズにより平行な光束に変えられ、半導体レーザユニットに備えられたアパーチャを通過することで一定形状の光束１０２に整形される。
この光束１０２は、シリンドリカルレンズ１０１ａにより副走査方向に圧縮されてポリゴンミラー１０３上に入射する。
尚、ポリゴンミラー１０３は正確な多角形をしており、ポリゴンモータ１０３ａにより一定の方向へ一定の速度で回転駆動される。
ポリゴンミラー１０３の回転速度は感光体１５１の回転速度と、レーザビーム走査装置１００の書き込み密度とポリゴンミラー１０３の面数により決定される。
シリンドリカルレンズ１０１ａからポリゴンミラー１０３に入射された光束１０２のレーザビームは、ポリゴンミラー１０３の反射面１０４により光偏向されて、走査結像光学系１０５のｆθレンズ１０５ａに入射する。
ｆθレンズ１０５ａは、ポリゴンミラー１０３からの角速度一定の走査光を感光体１５１で等速度で走査されるように変換し、ｆθレンズ１０５ａからの光束１０２のレーザビームが反射鏡１０５ｂ、及び、防塵ガラス１０５ｃを介して感光体１５１上に結像される。
又、ｆθレンズ１０５ａは面倒れ補正機能も有していて、ｆθレンズ１０５ａを通過した光束１０２のレーザビームは、画像領域外で同期検知ミラー１０５ｄにより反射されて同期検知センサ１０５ｅに導かれる。
そして、同期検知センサ１０５ｅの検知出力により主走査方向の頭出しの基準となる同期信号が得られるようになっている。
【０００５】
光源からの光束を分離する分離光学系と、角度位相が異なるように同軸に多段に積み重ねられた回転多面鏡と、偏向された複数の光束を被走査面上で同一の走査線に結像させる走査光学系とを有し、分離光学系から回転多面鏡までの間にレンズが配置されておらず、回転多面鏡の面倒れの補正を行う光学系が、光源と分離光学系が、光源と分離光学系の間のシリンドリカルレンズと回転多面鏡より後に配置された単一の長尺レンズとからなり、回転多面鏡で偏向された複数の光束が副走査方向において回転多面鏡の反射面近傍の共通の結像点から出て行くよう各光束の進行方向を偏向させるプリズムを備えて、多段回転多面鏡を用いてスポットサイズの不同や面倒れ補正効果の不同がなく良好な光走査を可能にする光走査装置は公知である（特許文献１を参照）。
複数個のポリゴンミラーを構成する各ミラーを個数分の１だけ位相をずらして重ね回転させ、入射するレーザビームをＡ／Ｏ変調器で各ポリゴンミラー面の有効走査時間内にレーザ光が照射されるように、上下ポリゴンミラーへの照射を切り換え、また、共振動作形ミラーを走査することによって、紫外から遠紫外の領域においても高速で高効率なレーザビームの走査を行う方法及び装置も公知である（特許文献２を参照）。
２色書き込み可能な光ビーム書き込み装置を、黒１色書き込みに対応させるために、赤書き込みの光源部と、それに対応するｆθレンズと、ミラーと、ＢＴＬレンズと、赤書き込み用ハウジングと、赤書き込み用ハウジングカバーとを取り去り、ポリゴンミラーを１段のみのポリゴンミラーにするようにして、１つの感光体上の２箇所に画像形成のための光ビームをそれぞれ入射して、ドラム１回転で２色画像を形成する画像形成装置であって、２色書き込みと１色書き込みどちらの画像形成装置にも対応し、無駄がなくかつ汎用性のある画像形成装置も公知である（特許文献３を参照）。
【０００６】
図９において、従来の光走査装置２００における光偏向手段２０３のポリゴンミラーとポリゴンミラーの反射面２０４に光源手段２０１から到達する光束としての複数のビーム２０２（上ビーム２０２ａと下ビーム２０２ｂ）の状態を示す。
従来の光走査装置２００は、図示するように、光源手段２０１から発光する上ビーム２０２ａと下ビーム２０２ｂの２ビームの例を示している。
光偏向手段２０３のポリゴンミラーには、高速で回転するローター部に、上下２段の反射面２０４の上ミラー２０４ａと下ミラー２０４ｂが配置されている。
上ミラー２０４ａと下ミラー２０４ｂ、光源手段２０１から発光する上ビーム２０１ａと下ビーム２０１ｂの副走査方向の光束間隔（Ｂ）は、走査結像光学系２０５を形成するレンズ群の大きさ、形状、レイアウト等によって決められる。
ポリゴンミラー２０３の上ミラー２０４ａと下ミラー２０４ｂのミラー中心間隔（Ａ）は、通常、ミラー中心間隔（Ａ）＝光束間隔（Ｂ）となるように設定される。
よって、従来の光走査装置２００における、上ミラー２０４ａと下ミラー２０４ｂのミラー中心間隔（Ａ）は、前述のレンズ群の大きさ等の事情により、複数のパターンで設計が行われ、汎用性が無いのでロット効果がなくコスト高になり、高速回転するポリゴンミラー２０３のローター部の重心が高くアンバランスに起因する振動が発生して騒音となり、更に、空気抵抗の風損により、ポリゴンミラーの立ち上がり時間が長く、又、定常回転時の定常電流も高く、低性能、低効率で、風損によりポリゴンミラーが回転中に更に騒音が増す不具合が発生していた。
従って、従来の光走査装置、及び、その光走査装置を具備する画像形成装置における光偏向手段のポリゴンミラーは、汎用性が無くロット効果がなくコスト高になり、高速回転のローター部の重心が高くアンバランスに起因する振動が発生して騒音となり、更に、空気抵抗の風損により立ち上がり時間を長く、又、定常回転時の定常電流も高く、低性能、低効率で、風損により回転中に、更に、騒音が増加すると言う不具合が生じていた。
【特許文献１】特開平１１−１４２７７１号公報
【特許文献２】特開２００１−８３４５２公報
【特許文献３】特開２００２−２７８２０７公報
【発明の開示】
【発明が解決しようとする課題】
【０００７】
そこで、本発明の課題は、このような問題点を解決するものである。即ち、汎用性が有り、ロット効果により低コストで、高速回転のローター部の重心が低くアンバランスに起因する振動や騒音の発生を防止して、高性能、高効率である光走査装置、及び、その光走査装置を具備する画像形成装置を提供することを目的とする。
【課題を解決するための手段】
【０００８】
上記目的を達成するために、請求項１に記載の本発明は、感光体上を光走査して潜像を形成する光走査装置において、複数のビームを所定の副走査方向の光束間隔で発光する光源手段と、複数のビームを構成する上ビームと下ビームを夫々光偏向する上ミラーと下ミラーを備えた光偏向手段と、光偏向手段により光偏向された複数のビームを走査結像する走査結像手段と、を備え、上ミラーと下ミラー間のミラー中心間隔を、上ビームと下ビームの光束間隔と異ならせたことを特徴とする。
請求項２の発明は、請求項１に記載の光走査装置において、上ミラーと下ミラー間のミラー中心間隔は、光源手段から発光する上ビームと下ビームの光束間隔よりも長いことを特徴とする。
請求項３の発明は、請求項１に記載の光走査装置において、上ミラーと下ミラー間のミラー中心間隔は、光源手段から発光する上ビームと下ビームの光束間隔よりも短いことを特徴とする。
請求項４の発明は、請求項１、２又は３に記載の光走査装置において、上ミラーと下ミラーは、各ミラーの端部の、光偏向に不必要な部分を欠除した欠除部を備えていることを特徴とする。
【０００９】
請求項５の発明は、請求項４に記載の光走査装置において、欠除部を、上ミラーと下ミラーに上下非対称に形成したことを特徴とする。
請求項６の発明は、感光体上を光走査して画像を形成する画像形成装置において、光走査して画像を形成する感光体と、感光体上を均一に帯電する帯電手段と、帯電手段で均一に帯電された感光体上を光走査して潜像を形成する請求項１、２、３、４又は５に記載の光走査装置と、光走査装置によって感光体上に形成された潜像を現像して顕像化する現像手段と、現像手段で感光体上に顕像化して形成したトナー画像を被記録体に転写する転写手段と、からなることを特徴とする。
請求項７の発明は、請求項６に記載の画像形成装置において、光走査装置が感光体上を光走査してカラーのトナー画像を形成することを特徴とする。
又は、請求項８に記載の本発明は、請求項６又は７に記載の画像形成装置において、請求項１、２、３、４又は５に記載の複数個の光走査装置からなる画像形成装置であることを主要な特徴とする。
【発明の効果】
【００１０】
本発明は、以下に説明するように構成されているので、請求項１の発明によれば、汎用性が有りロット効果による低コスト化と高速回転のローター部の重心が低くアンバランスに起因する振動や騒音の発生を防止することが出来る光走査装置を提供することが出来るようになった。
請求項２の発明によれば、汎用性が有りロット効果による低コスト化と高速回転のローター部の重心が低くアンバランスに起因する振動や騒音の発生を防止することが可能で、汎用性が有りロット効果による低コストである光走査装置を提供することが出来るようになった。
請求項３の発明によれば、汎用性が有りロット効果による低コスト化と高速回転のローター部の重心が低くアンバランスに起因する振動や騒音の発生を防止することが可能で、高速回転のローター部の重心が低くアンバランスに起因する振動や騒音の発生を防止する光走査装置を提供することが出来るようになった。
請求項４の発明によれば、汎用性が有りロット効果による低コスト化と高速回転のローター部の重心が低くアンバランスに起因する振動や騒音の発生を防止することが可能で、高性能、高効率である光走査装置を提供することが出来るようになった。
【００１１】
請求項５の発明によれば、汎用性が有りロット効果による低コスト化と高速回転のローター部の重心が低くアンバランスに起因する振動や騒音の発生を防止することが可能で、更に、高性能、高効率であり、更に、騒音の発生を防止する光走査装置を提供することが出来るようになった。
請求項６の発明によれば、汎用性が有りロット効果により低コストで、高速回転のローター部の重心が低くアンバランスに起因する振動や騒音の発生を防止して、高性能、高効率である光走査を具備してトナー画像を形成する画像形成装置を提供することが出来るようになった。
請求項７の発明によれば、汎用性が有りロット効果により低コストで、高速回転のローター部の重心が低くアンバランスに起因する振動や騒音の発生を防止して、高性能、高効率である光走査を具備してカラーのトナー画像を形成する画像形成装置を提供することが出来るようになった。
請求項８の発明によれば、汎用性が有りロット効果により低コストで、高速回転のローター部の重心が低くアンバランスに起因する振動や騒音の発生を防止して、高性能、高効率である光走査を具備して高速で高品質のトナー画像を形成する画像形成装置を提供することが出来るようになった。
【発明を実施するための最良の形態】
【００１２】
次に、本発明の実施の形態を図面を参照して詳細に説明する。
図１において、感光体上を光走査して潜像を形成する光走査装置０は、複数の光束を所定の副走査方向の光束間隔（Ｂ）で発光する光源手段１と、光源手段１から発光する光束としての複数のビーム２を構成する上ビーム２ａと下ビーム２ｂを光偏向する光偏向手段３としてのポリゴンミラーと、ポリゴンミラー３の光源手段１から発光する上ビーム２ａと下ビーム２ｂの光束間隔（Ｂ）と異なるミラー中心間隔（Ａ）で配置された複数段のミラー４としての上ミラー４ａと下ミラー４ｂによって光偏向された複数のビーム２を走査結像する走査結像手段５とからなり、汎用性が有りロット効果による低コスト化と高速回転のローター部の重心が低くアンバランスに起因する振動や騒音の発生を防止することが出来る。
光源１としての半導体レーザユニット内の半導体レーザより発せられたレーザビームは、半導体レーザユニット内のコリメートレンズにより平行な光束に変えられ、半導体レーザユニットに備えられたアパーチャを通過することで一定形状の上ビーム２ａと下ビーム２ｂに整形される。
上ビーム２ａと下ビーム２ｂは、シリンドリカルレンズ１ａにより副走査方向に圧縮されてポリゴンミラー３のミラー中心間隔（Ａ）で配置された複数段のミラー４の上ミラー４ａと下ミラー４ｂ上に入射する。
ポリゴンミラー３の複数段のミラー４の各上ミラー４ａと下ミラー４ｂは、正確な多角形をしており、ポリゴンモータ３ａにより一定の方向へ一定の速度で回転駆動される。
【００１３】
ポリゴンミラー３の回転速度は、画像形成装置５０の感光体５１の回転速度と、光走査装置０の書き込み密度と各上ミラー４ａと下ミラー４ｂ等の面数により決定される。
シリンドリカルレンズ１ａから上ミラー４ａと下ミラー４ｂに入射された上ビーム２ａと下ビーム２ｂは、各上ミラー４ａと下ミラー４ｂにより光偏向されて、走査結像手段５のｆθレンズ５ａに入射する。
ｆθレンズ５ａは、上ミラー４ａと下ミラー４ｂからの角速度一定の走査光を感光体５１で等速度で走査されるように変換し、ｆθレンズ５ａからの上ビーム２ａと下ビーム２ｂが反射鏡５ｂ、及び、防塵ガラス５ｃを介して感光体５１上に結像される。
又、ｆθレンズ５ａは、面倒れ補正機能も有していて、ｆθレンズ５ａを通過した上ビーム２ａと下ビーム２ｂは、画像領域外で同期検知ミラー５ｄにより反射されて同期検知センサ５ｅに導かれる。
そして、同期検知センサ５ｅの検知出力により主走査方向の頭出しの基準となる同期信号が得られるようになっている。
従って、汎用性が有りロット効果により低コスト化と高速回転のローター部の重心が低くアンバランスに起因する振動やポリゴンミラー３の光源手段１から発光する上ビーム２ａと下ビーム２ｂの光束間隔（Ｂ）よりも長いミラー中心間隔（Ａ）騒音の発生を防止することが出来る光走査装置０を提供することが出来るようになった。
【００１４】
図２において、感光体上を光走査して潜像を形成する光走査装置００は、複数の光束を副走査方向の所定の光束間隔（Ｂ）で発光する光源手段１と、光源手段１から発光する複数のビーム２と、複数のビーム２の上ビーム２ａと下ビーム２ｂを光偏向するポリゴンミラー３と、ポリゴンミラー３の光源手段１から発光する上ビーム２ａと下ビーム２ｂの光束間隔（Ｂ）よりも長いミラー中心間隔（Ａ）で配置された上ミラー４ａと下ミラー４ｂによって光偏向された複数のビーム２を走査結像する走査結像手段５とからなり、汎用性が有りロット効果により低コストである。
即ち、光走査装置００における、上ミラー４ａと下ミラー４ｂのミラー中心間隔（Ａ）は、光走査装置００における光源手段１から発光する複数のビーム２の上ビーム２ａと下ビーム２ｂの光束間隔（Ｂ）よりも大きい。
通常、上ミラー４ａと下ミラー４ｂ等の径方向の大きさが決まると、上ミラー４ａと下ミラー４ｂ等の厚さを薄くするのには、ある程度の限界が存在する。
それは、高速回転した場合の上ミラー４ａと下ミラー４ｂ等の変形や、ローター部への取り付け時の変形に対してある程度の厚みを必要とするためである。
上ミラー４ａと下ミラー４ｂ等に入射する上ビーム２ａと下ビーム２ｂの光束間隔（Ｂ）に対して、上ミラー４ａと下ミラー４ｂの副走査方向の有効範囲のミラーの中心間隔（Ａ）に余裕がある場合、図示のように上ビーム２ａと下ビーム２ｂの光束間隔（Ｂ）が他の機種で狭くなった場合でも、全く同一の上ミラー４ａと下ミラー４ｂを使用することにより、上ミラー４ａと下ミラー４ｂを新たに設計、製造する必要が無くなり、又、ロット効果により、コストも低く抑えることが出来るようになった。
つまり、ある機種において使用されていたポリゴンミラーを、上下ビーム間隔が狭い他の機種にそのまま転用することが可能となる。
従って、汎用性が有りロット効果により低コストである光走査装置００を提供することが出来るようになった。
【００１５】
図３において、感光体上を光走査して潜像を形成する光走査装置０００は、複数の光束を副走査方向の所定の光束間隔（Ｂ）で発光する光源手段１と、光源手段１から発光する光束の複数のビーム２を構成する上ビーム２ａと下ビーム２ｂを光偏向するポリゴンミラー３と、上ビーム２ａと下ビーム２ｂの光束間隔（Ｂ）よりも短いミラー中心間隔（Ａ）で配置された複数段のミラー４の上ミラー４ａと下ミラー４ｂによって光偏向された複数のビーム２を走査結像する走査結像手段５とからなり、高速回転のローター部の重心が低くアンバランスに起因する振動や騒音の発生を防止する。
即ち、光走査装置０００における、上ミラー４ａと下ミラー４ｂのミラー中心間隔（Ａ）は、光源手段１から発光する複数のビーム２の上ビーム２ａと下ビーム２ｂの光束間隔（Ｂ）よりも小さい。
通常、上ミラー４ａと下ミラー４ｂ等を設計する場合、図示する間隔（Ｃ）（基板６と下ミラー４ｂの中心までの距離）を小さくした方が、高速回転する上ミラー４ａと下ミラー４ｂ等のローター部の重心を低く出来るので、上ミラー４ａと下ミラー４ｂ等のローター部のアンバランスに起因する振動の発生等を低く抑えることができる。
然し、ポリゴンミラー３の下ミラー４ｂと基板６との間隔（Ｃ）を小さくしようとした場合、構造上の限界があった。
上ミラー４ａと下ミラー４ｂのミラー中心間隔（Ａ）は、光源手段１から発光する上ビーム２ａと下ビーム２ｂの光束間隔（Ｂ）よりも小さくすることにより、通常、上ミラー４ａと下ミラー４ｂのミラー中心間隔（Ａ）を光源手段１から発光する上ビーム２ａと下ビーム２ｂの光束間隔（Ｂ）とする場合よりも、上ミラー４ａと下ミラー４ｂ等のローター部の重心を低くすることが出来る。
これにより、前述した通り、高速回転中の振動を低く抑えることが出来て、画像上、騒音上有利な設計を行うことが可能となる。
従って、高速回転のローター部の重心が低くアンバランスに起因する振動や騒音の発生を防止する光走査装置０００を提供することが出来るようになった。
【００１６】
図４において感光体上を光走査して潜像を形成する光走査装置０は、上ミラー４ａと下ミラー４ｂの各端部の光偏向に不必要な部分を欠除した欠除部４ｃを備え、汎用性が有りロット効果により低コストで、高速回転のローター部の重心が低くアンバランスに起因する振動や騒音の発生を防止して、高性能、高効率で、更に、騒音の発生を防止する。
欠除部４ｃは、光源手段１から発光する上ビーム２ａと下ビーム２ｂが照射されない上ミラー４ａと下ミラー４ｂの部分の面取り加工を大きくして欠除した例である。
このように、光源手段１から発光する上ビーム２ａと下ビーム２ｂの光偏向に不必要な欠除部４ｃの除去を上下非対称に行うことで、上ミラー４ａと下ミラー４ｂが回転する場合に生じる、空気抵抗の風損を減らすことが出来る。
これにより、上ミラー４ａと下ミラー４ｂの立ち上がり時間を短く、また、定常回転時の定常電流を低く抑えることが出来るので、更に、高性能、高効率の上ミラー４ａと下ミラー４ｂを実現することが可能となり、風損を減少させることにより、上ミラー４ａと下ミラー４ｂが回転中に発生する騒音も、更に、減じることが出来るようになった。
従って、汎用性が有りロット効果により低コストで、高速回転のローター部の重心が低くアンバランスに起因する振動や騒音の発生を防止して、更に、高性能、高効率で、更に、騒音の発生を防止する光走査装置０を提供することが出来るようになった。
図５において、感光体上を光走査して画像を形成する画像形成装置５０は、光走査して画像を形成する感光体５１と、感光体５１上を均一に帯電する帯電手段５２と、帯電手段５２で均一に帯電された感光体５１上を光走査して潜像を形成する光走査装置０と、光走査装置０によって感光体５１上に形成された潜像を現像して顕像化する現像手段５３と、現像手段５３で感光体５１上に顕像化して形成したトナー画像を被記録体５４の中間転写ベルト５４ａと記録用紙５４ｂに転写する転写手段５５の１次転写手段５５ａと２次転写手段５５ｂとからなり、汎用性が有りロット効果により低コストで、高速回転のローター部の重心が低くアンバランスに起因する振動や騒音の発生を防止して、高性能、高効率である。
【００１７】
画像形成装置５０のカラープリンタは、回動可能に保持されて形成されるトナー画像を担持するドラム形状の感光体５１と被記録体５４の中間転写ベルト５４ａと、ドラム形状の感光体５１上を均一に帯電する帯電手段５２の帯電ローラと、帯電手段５２の帯電ローラで均一に帯電されたドラム形状の感光体５１上の表面を露光して潜像を形成する光走査装置０と、光走査装置０で形成された潜像を現像してトナー画蔵を形成する現像手段５３と、現像手段５３で形成されたトナー画像を被記録体５４の中間転写ベルト５４ａ上と録用紙５４ｂ上に転写する転写手段５５の１次転写手段５５ａと２次転写手段５５ｂ、定着手段５６等で構成されている
画像形成装置５０の電子写真方法でトナー画像を形成するカラープリンタは、光導電層を有するドラム形状の感光体５１をタンデム式に４本を配列し、４本のドラム形状の感光体５１をイエロー画像形成部５０（Ｙ）、シアン画像形成部５０（Ｃ）、マゼンタ画像形成部５０（Ｍ）、ブラック画像形成部５０（Ｂｋ）の各イエロー（Ｙ）、シアン（Ｃ）、マゼンタ（Ｍ）、ブラック（Ｂｋ）の４色の画像形成に割り当てて、これらを色重ねすることによりカラーのトナー画像を形成する。
画像形成装置５０の電子写真方法でトナー画像を形成するカラープリンタにおけるタンデムに配列している各イエロー画像形成部５０（Ｙ）、シアン画像形成部５０（Ｃ）、マゼンタ画像形成部５０（Ｍ）、ブラック画像形成部５０（Ｂｋ）は、ドラム形状の感光体５１に直径４０ｍｍの小径ドラムを用いている。
タンデムに配列している各イエロー画像形成部５０（Ｙ）、シアン画像形成部５０（Ｃ）、マゼンタ画像形成部５０（Ｍ）、ブラック画像形成部５０（Ｂｋ）のドラム形状の感光体５１ａの回りには、帯電手段５２、ドラム形状の感光体５１上の表面を露光して潜像を形成する光走査装置０、現像手段５３、１次転写手段５５ａ、クリーニング装置５９等が配置されている。
【００１８】
ドラム形状の感光体５１は、現像手段５３とプロセスカートリッジ４０に保持されたクリーニング装置５９の間で、被記録体５４の中間転写ベルト５４ａに当接している。
画像形成装置５０の電子写真方法でトナー画像を形成するカラープリンタにおけるカラーのトナー画像の形成時には、まず、イエロー画像形成部５０（Ｙ）において、回動可能に保持されて回転するドラム形状の感光体５１の表面に帯電手段５２の帯電ローラによって均一に電荷が付与されて、約−４５０Ｖに均一帯電が行われる。
その後、光走査装置０によって画像露光を施し、ドラム形状の感光体５１の表面の光導電層上に静電潜像を形成する。
そして、ドラム形状の感光体５１の表面の光導電層上の静電潜像に、現像手段５３に備えられた現像ローラ５３ａから、イエロー（Ｙ）現像剤のトナーを用いて現像が行われて、潜像をイエロー（Ｙ）のトナー画像として可視像化される。
現像手段５３の現像ローラ５３ａは、少なくとも現像時は、感光体５１の表面に対して近接して配置され、現像剤が感光体５１の表面に接触する状態で現像できる様に設定されている。
画像形成装置５０の電子写真方法でトナー画像を形成するカラープリンタに用いた２成分現像剤は、重合法によって製造した平均粒径５μｍ乃至６μｍのネガ帯電トナー（Ｔ）と平均粒径が３５μｍの磁性キャリアを混合して構成されている。
トナーとキャリアの混合比は重量比で８：９２としてトナー濃度制御により設定されている。
又、現像時には、現像手段５３の現像ローラ５３ａには現像バイアスとして、−３００Ｖが印加されて現像が行われている。
【００１９】
感光体５１の表面に可視像化されたトナー画像は、転写手段５５の１次転写手段５５ａで被記録体５４の中間転写ベルト５４ａに転写される。
転写手段５５の１次転写手段５５ａで被記録体５４の中間転写ベルト５４ａに転写されずに感光体５１の表面に付着して残留する残留トナー等は、クリーニング装置５９によってクリーニングされて次工程のトナー画像の形成に備えるようになっている。
その後に、シアン画像形成部５０（Ｃ）、マゼンタ画像形成部５０（Ｍ）、ブラック画像形成部５０（Ｂｋ）の順でそれぞれの感光体５１の表面のトナー画像は被記録体５４の中間転写ベルト５４ａに転写が行われ、被記録体５４の中間転写ベルト５４ａ上に色重ねしたカラーのトナー画像が形成される。
被記録体５４の中間転写ベルト５４ａ上に色重ねをして形成されたトナー画像は、転写手段５５の２次転写手段５５ｂにより被記録体５４の記録用紙５４ｂに転写が行われ、その後、定着手段５６によりカラーのトナー画像は被記録体５４の記録用紙５４ｂに熱定着されて、排紙ローラ５７によって排紙トレイ５８に排紙されて収納される。
色重ねをして形成されたトナー画像を被記録体５４の記録用紙５４ｂに転写して被記録体５４の中間転写ベルト５４ａ上に付着して残留する残留トナー等は、クリーニング装置５９によってクリーニングされて次工程のカラーのトナー画像の形成に備えるようになっている。
従って、汎用性が有りロット効果により低コストで、高速回転のローター部の重心が低くアンバランスに起因する振動や騒音の発生を防止して、高性能、高効率である光走査装置０を具備して高速で高品質のカラーのトナー画像を形成する画像形成装置５０を提供することが出来るようになった。
【図面の簡単な説明】
【００２０】
【図１】本発明の実施の形態例を示す光走査装置を説明する斜視図。
【図２】本発明の実施の形態例を示す光走査装置の主要部を説明する説明図。
【図３】本発明の他の実施の形態例を示す光走査装置の主要部を説明する説明図。
【図４】本発明の実施の形態例を示す光走査装置の他の主要部を説明する説明図。
【図５】本発明の実施の形態例を示す光走査装置を具備する画像形成装置を説明する説明図。
【図６】従来のデジタル複写機の主要部を説明する説明図。
【図７】従来のデジタル複写機の主要部を説明する拡大図。
【図８】従来のデジタル複写機の他の主要部を説明する拡大図。
【図９】従来の光走査装置の主要部を説明する説明図。
【符号の説明】
【００２１】
０  光走査装置、
００  光走査装置、
０００  光走査装置
１  光源手段、
１ａ  シリンドリカル
２  複数のビーム、
２ａ  上ビーム、
２ｂ  下ビーム
３  光偏向手段、
３ａ  ポリゴンモータ
４  複数段のミラー、
４ａ  上ミラー、
４ｂ  下ミラー、
４ｃ  欠除部
５  走査結像手段、
５ａ  ｆθレンズ、
５ｂ  反射鏡、
５ｃ  防塵ガラス、
５ｄ  同期検知ミラー、
５ｅ  同期検知センサ
６  基板
４０  プロセスカートリッジ
５０  画像形成装置
５０（Ｙ）  イエロー画像形成部、
５０（Ｃ）  シアン画像形成部、
５０（Ｍ）  マゼンタ画像形成部、
５０（Ｂｋ）  ブラック画像形成部
５１  感光体
５２  帯電手段
５３  現像手段、
５３ａ  現像ローラ
５４  被記録体、
５４ａ  中間転写ベルト、
５４ｂ  記録用紙
５５  転写手段、
５５ａ  １次転写手段、
５５ｂ  ２次転写手段
５６  定着手段
５７  排紙ローラ
５８  排紙トレイ
５９  クリーニング装置
１００  レーザビーム走査装置
１０１  光源、
１０１ａ  シリンドリカルレンズ
１０２  光束
１０３  ポリゴンミラー、
１０３ａ  ポリゴンモータ
１０４  反射面
１０５  走査結像光学系、
１０５ａ  ｆθレンズ、
１０５ｂ  反射鏡、
１０５ｃ  防塵ガラス、
１０５ｄ  同期検知ミラー、
１０５ｅ  同期検知センサ
１５０  デジタル複写機
１５１  感光体
１５２  帯電装置
１５３  現像装置
１５４  給紙装置、
１５４ａ  カセット、
１５４ｂ  カセット、
１５４ｃ  カセット、
１５４ｄ  レジストローラ
１５５  転写装置、
１５５ａ  分離装置、
１５５ｂ  搬送装置
１５６  定着装置
１５７  排紙ローラ
１５８  排紙トレイ
１５９  クリーニング装置
１６０  プリンタ部
１７０  画像読み取り装置
１７１  原稿画像読取部、
１７１ａ  コンタクトガラス、
１７１ｂ  照明ランプ、
１７１ｃ  反射鏡、
１７１ｄ  第１ミラー、
１７１ｅ  第１キャリッジ、
１７１ｆ  第２ミラー、
１７１ｇ  第３ミラー、
１７１ｈ  第２キャリッジ、
１７１ｉ  色フィルタ、
１７１ｊ  レンズ、
１７１ｋ  ＣＣＤセンサ、
１７１ｌ  画像処理部
１７２  自動原稿送り部
２００  光走査装置
２０１  光源手段
２０２  複数のビーム、
２０１ａ  上ビーム、
２０１ｂ  下ビーム
２０３  光偏向手段
２０４  反射面、
２０４ａ  上ミラー、
２０４ｂ  下ミラー
２０５  走査結像手段
【図１】
2006018011.tif 000003
【図２】
2006018011.tif 000004
【図３】
2006018011.tif 000005
【図４】
2006018011.tif 000006
【図５】
2006018011.tif 000007
【図６】
2006018011.tif 000008
【図７】
2006018011.tif 000009
【図８】
2006018011.tif 000010
【図９】
2006018011.tif 000011